(57)【要約】      （修正有）【課題】リブを有するゴルフクラブヘッドを提供する。【解決手段】ゴルフクラブヘッド１４０は、ヒール端１４１１、トウ端１４１２、ソール１４１３、前表面１４１６、及び後表面１５１７を有するボディ１４１０と、ボディ１４１０のリブ表面１４１５から突出する複数のリブと、を備えている。複数のリブは、第１長手軸１５２１を有する第１リブ１４２１と、第２長手軸１５２２を有する第２リブ１４２２と、第３長手軸１５３３を有する第３リブ１４２３と、を含む。第１長手軸１５２１、第２長手軸１５２２、及び第３長手軸１５２３は、ボディ１４１０の外部にある共通点１５５０で交差する。【選択図】図１５
2013031656.tif 000002
【特許請求の範囲】
【請求項１】
ヒール端、トウ端、ソール、前表面、及び後表面を有するボディと、
前記ボディのリブ表面から突出する複数のリブと、を備えており、
前記複数のリブは、
第１長手軸を有する第１リブと、
第２長手軸を有する第２リブと、
第３長手軸を有する第３リブと、を含み、
前記第１長手軸、前記第２長手軸、及び第３長手軸は、前記ボディの外部にある共通点で交差するゴルフクラブヘッド。
【請求項２】
前記共通点は、前記前表面の前方に位置している請求項１に記載のゴルフクラブヘッド。
【請求項３】
前記リブ表面と前記複数のリブは、前記ボディの内部にある請求項１又は２に記載のゴルフクラブヘッド。
【請求項４】
前記リブ表面、前記第１リブ、前記第２リブ、及び前記第３リブは、前記ボディの前記ソールに位置している請求項１〜３のいずれか一項に記載のゴルフクラブヘッド。
【請求項５】
前記ボディは、スカート部を有しており、
前記リブ表面、前記第１リブ、前記第２リブ、及び前記第３リブは、前記ボディの前記スカート部に位置している請求項４に記載のゴルフクラブヘッド。
【請求項６】
前記複数のリブの各々は、前記前表面及び前記後表面から離れている請求項１〜５のいずれか一項に記載のゴルフクラブヘッド。
【請求項７】
前記第１リブ、前記第２リブ、及び前記第３リブは、いずれのリブとも交差していない請求項１〜６のいずれか一項に記載のゴルフクラブヘッド。
【請求項８】
前記ボディは、前側部分と後側部分を有しており、
前記前側部分と前記後側部分の間の中間線は、前記前表面の最も前方となる点と前記後表面の最も後方となる点の間の距離に対して略半分において、前記ボディの前記前面に対して略平行であり、
前記第１リブ、前記第２リブ、及び前記第３リブの各々の前端部が前記前側部分にあり、
前記第１リブ、前記第２リブ、及び前記第３リブの各々の後端部が前記後側部分にある請求項１〜７のいずれか一項に記載のゴルフクラブヘッド。
【請求項９】
前記第１リブ、前記第２リブ、及び前記第３リブの各々の厚みは、前記前表面の近傍で前記リブ表面に一体化する請求項１〜８のいずれか一項に記載のゴルフクラブヘッド。
【請求項１０】
前記複数のリブの隣り合うリブは、前記後表面に向けて相互に離れていき、前記前表面に向けて相互に近寄る請求項１〜９のいずれか一項に記載のゴルフクラブヘッド。
【請求項１１】
前記複数のリブは、ゴルフクラブヘッドのクラウンに対して凹状である請求項１〜１０のいずれか一項に記載のゴルフクラブヘッド。
【請求項１２】
前記ボディの前記前表面は、ターゲット打撃範囲を有する打撃面を備えており、
前記第３リブの長手軸が前記打撃面に略直交するとともに前記ターゲット打撃範囲に一致している請求項１〜１１のいずれか一項に記載のゴルフクラブヘッド。
【請求項１３】
前記ボディの前記前表面は、ターゲット打撃範囲を有する打撃面を備えており、
ターゲット打撃軸がターゲット打撃範囲の中心から伸びているとともに前記打撃面に略直交しており、
前記共通点が前記ターゲット打撃軸上に位置している請求項１〜１１のいずれか一項に記載のゴルフクラブヘッド。
【請求項１４】
前記ボディの前記前表面は、ターゲット打撃範囲を有する打撃面を備えており、
前記共通点は、前記ターゲット打撃範囲からゴルフボールの略半径の長さ離れている請求項１〜１１のいずれか一項に記載のゴルフクラブヘッド。
【請求項１５】
前記複数のリブの重心は、前記ゴルフクラブヘッドの重心と前記ボディの前記後表面の間に位置している請求項１〜１４のいずれか一項に記載のゴルフクラブヘッド。
【請求項１６】
前記ソールの少なくとも一部に位置するソールウェイトをさらに備えており、
前記ソールウェイトは、前記複数のリブのうちの１つ又は複数の覆われたリブを部分的に覆っている請求項１〜１５のいずれか一項に記載のゴルフクラブヘッド。
【請求項１７】
前記ソールウェイトの厚みは、１つ又は複数の覆われたリブの１つ又は複数の部分の厚みを完全に吸収している請求項１６に記載のゴルフクラブヘッド。
【請求項１８】
前記リブ表面の１つ又は複数の窪みをさらに備えており、
前記１つ又は複数の窪みは、前記複数のリブのうちの１つ又は複数の部分を部分的に覆っている請求項１〜１７のいずれか一項に記載のゴルフクラブヘッド。
【請求項１９】
前記リブ表面と前記複数のリブは、単一の材料を含む請求項１〜１８のいずれか一項に記載のゴルフクラブヘッド。
【請求項２０】
ヒール端、トウ端、ソール、前表面、及び後表面を有するボディと、
前記ボディのリブ表面から突出する複数とリブと、を備えており、
前記複数のリブは、略直線であるとともに交差しておらず、
前記複数のリブは、前記ボディの前記ヒール端に最も近い第１リブと、前記ボディのトウ端に最も近い第２リブと、を有しており、
前記複数のリブは、実質的に放射状であり、前記第１リブと前記第２リブの間で扇状を形成するゴルフクラブヘッド。
【請求項２１】
前記第１リブが第１長手軸を有しており、
前記第２リブが第２長手軸を有しており、
前記第１長手軸と前記第２長手軸が前記ゴルフクラブヘッドの前記ボディの外部の共通点で交差しており、
前記複数のリブが、いずれのリブとも交差しない請求項２０に記載のゴルフクラブヘッド。
【請求項２２】
前記共通点は、前記ボディの前記前表面の前方に位置している請求項２１に記載のゴルフクラブヘッド。
【請求項２３】
前記複数のリブは、
前記第１リブと前記第２リブの間に位置しており、第３長手軸を有する第３リブと、
前記第１リブと前記第３リブの間に位置しており、第４長手軸を有する第４リブと、
前記第２リブと前記第３リブの間に位置しており、第５長手軸を有する第５リブと、をさらに備えており、
前記第１長手軸、前記第２長手軸、前記第３長手軸、前記第４長手軸、及び前記第５長手軸のうちの少なくとも３つが前記ゴルフクラブヘッドの外部の共通点で交差している請求項２０〜２２のいずれか一項に記載のゴルフクラブヘッド。
【請求項２４】
前記共通点は、前記ボディの前記前表面の前方に位置しており、
前記リブ表面と前記複数のリブは、前記ボディの内部にあり、
前記複数のリブと前記リブ表面は、前記ボディのソールに位置しており、
前記複数のリブの各々が前記前表面と前記後表面から離れており、
前記複数のリブのうちの少なくとも３つは、いずれのリブとも交差しておらず、
前記ボディは前側部分と後側部分を有しており、
前記前側部分と前記後側部分の間の中間線は、前記前表面の最も前方となる点と前記後表面の最も後方となる点の間の距離に対して略半分において、前記ボディの前記前表面に対して略平行であり、
前記複数のリブの各リブの前端部が前記前側部分にあり、
前記複数のリブの各リブの後端部が前記後側部分にあり、
前記複数のリブの各々は前記クラウンに対して凹状であり、
前記ボディの前記前表面は、ターゲット打撃範囲を有する打撃面を備えており、
前記第３リブの長手軸が、前記打撃面に略直交するとともに前記ターゲット打撃範囲に一致しており、
ターゲット打撃軸が、ターゲット打撃範囲の中心から伸びているとともに前記打撃面に略直交しているとともに同一線上にあり、
前記共通点が前記ターゲット打撃軸上に位置しており、
前記共通点は、前記ターゲット打撃範囲からゴルフボールの略半径の長さ離れており、
前記複数のリブの重心は、前記ゴルフクラブヘッドの重心と前記ボディの前記後表面の間に位置しており、
前記リブ表面と前記複数のリブは、単一の材料を含んでおり、
前記複数のリブは、前記リブ表面とは反対側のソールにおいて視認できない請求項２３に記載のゴルフクラブヘッド。
【請求項２５】
ヒール端、トウ端、ソール、前表面、及び後表面を有するゴルフクラブのボディを準備する工程と、
前記ボディのリブ表面から突出する複数のリブを準備する工程と、を備えており、
前記複数のリブは、
共通点を通過して伸びている第１長手軸を有する第１リブと、
前記共通点を通過して伸びている第２長手軸を有する第２リブと、
前記共通点を通過して伸びている第３長手軸を有する第３リブと、を有しており、
前記共通点は、前記ボディの外部に位置している方法。
【請求項２６】
複数のリブを準備する工程は、
前記ボディの内部に前記リブ表面と前記複数のリブを準備する工程と、
前記ボディの前記ソールに前記複数のリブと前記リブ表面を準備する工程と、を有する請求項２５に記載の方法。
【請求項２７】
前記共通点は、前記前表面の前方に位置しており、
前記複数のリブを準備する工程は、
前記複数のリブを実質的に放射状に配置して、前記第１リブと前記第２リブの間で扇状を形成することと、
前記リブ表面、前記第１リブ、前記第２リブ、及び前記第３リブを前記ボディのスカート部に準備することと、
前記前表面と前記後表面から離れている前記複数のリブを配置することと、
いずれのリブとも交差しない前記第１リブと前記第２リブと前記第３リブを準備することと、
前記前表面に近接するリブ表面で調和する前記第１リブと前記第２リブと前記第３リブの厚みを準備することと、
前記ゴルフクラブヘッドのクラウンに対して凹状である前記複数のリブを準備することと、を有しており、
前記ゴルフクラブの前記ボディを準備する工程は、
前記ボディの前記前表面の打撃面を準備することを有しており、それは、ターゲット打撃範囲と、前記共通点を通過するとともにターゲット打撃範囲の中心から前記打撃面に対して実質的に垂直に伸びるターゲット打撃軸と、を含み、
前記リブ表面及び前記複数のリブが単一の材料を含む請求項２５に記載の方法。
【発明の詳細な説明】
【技術分野】
【０００１】
本発明は、主としてゴルフ道具に関し、特に、ゴルフクラブヘッドに関する。
【背景技術】
【０００２】
現在のウッドタイプのゴルフクラブヘッドは、クラブの名前にもなっているパーシモンウッドではなく、例外なく金属で作られている。一般的に、これらのクラブヘッドは、中空の金属シェルで構成されており、ボールのインパクトに耐えるために比較的厚いフェースを有しており、さらに、地面へのインパクトに耐えるとともにクラブヘッドの重心を低くするために比較的厚いソールを有している。ゴルフクラブヘッドの他の部分は、可能な限り薄く製造され、材料の最大量をフェースとソースに分配する。現在のクラブヘッドのクラウン及びスカートは極めて薄いものとなっているが、クラブヘッドのフェースを支持するために、最大のストレスの方向において十分に硬くなければならない。
【０００３】
リブは、クラブヘッドのクラウンに一般に採用されており、前後方向に十分な剛性を与えながら、クラウンを可能な限り軽くすることができる。Zobeleanの米国特許４，２１４，７５４は、クラウンを備えた中空のクラブヘッドを開示しており、そのクラウンはクラブヘッドのフェースに対して垂直に伸びている平行なリブを含む。平行なリブは、内部を伸びており、クラウンの薄い推移を架橋する。同様に、Sanoの米国特許６，５９５，８７１は、独立して取付けられるフェースと、フェースに対して直交して伸びている複数の平行なリブを含むクラウンと、を有する中空のクラブヘッドを開示する。Schmidtらの米国特許５，０６７，７１５は、クラブフェースに溶け込むとともにクラブヘッドフェースに対して垂直に伸びている複数の平行なリブ、同様に、クラブヘッドの後壁に溶け込むとともにクラブヘッドの後壁に対して垂直に伸びている複数のリブ、を含むクラウンを有する中空のクラブヘッドを開示する。
【発明の概要】
【発明が解決しようとする課題】
【０００４】
従来技術では、クラブヘッドのフェースを一様に補強する平行なリブを有するクラウンを備えたクラブヘッドが有効な構成でないことが認識されていない。なぜなら、クラブヘッドのフェースには均一な荷重が加わらず、本質的には中心近くのインパクト点に加わるからである。
【課題を解決するための手段】
【０００５】
第１の例では、ゴルフクラブヘッドは、ボディ、及びボディのリブ表面から突出する複数のリブを備えることができる。ボディは、ヒール端、トウ端、ソール、前面、及び後面を有することができる。複数のリブは、第１長手軸を有する第１リブ、第２長手軸を有する第２リブ、及び第３長手軸を有する第３リブを備えることができる。第１長手軸、第２長手軸、及び第３長手軸は、ボディの外部にある共通点で交差することができる。
【０００６】
第２の例では、ゴルフクラブヘッドは、ボディ、及びボディのリブ表面から突出する複数のリブを備えることができる。ボディは、ヒール端、トウ端、ソール、前面、及び後面を有することができる。複数のリブは、略直線であるとともに交差しないものとすることができ、及び／又は、複数のリブは、ボディのヒール端に最も近い第１リブ、及びボディのトウ端に最も近い第２リブを有してもよい。複数のリブはまた、実質的に放射状であり、第１リブと第２リブの間で扇状を形成してもよい。
【０００７】
第３の例では、方法は、（ａ）ヒール端、トウ端、ソール、前面、及び後面を有するゴルフクラブのボディを準備する工程、及び（ｂ）ボディのリブ表面から突出する複数のリブを準備する工程を備えることができる。複数のリブは、共通点を通過して伸びている第１長手軸を有する第１リブ、共通点を通過して伸びている第２長手軸を有する第２リブ、及び共通点を通過して伸びている第３長手軸を有する第３リブを有することができる。共通点は、ボディの外部に位置している。
【０００８】
他の例及び実施形態が本願においてさらに開示される。そのような例及び実施形態が、図面、特許請求の範囲、及び／又は本開示で見られるだろう。
【図面の簡単な説明】
【０００９】
【図１】ゴルフクラブヘッドの正面図である。
【図２】図１のクラブヘッドを下方から観測した断面図である。
【図３】図１のクラブヘッドを前方から観測した部分断面図である。
【図４】第２実施例のゴルフクラブヘッドの上面図である。
【図５】図４のクラブヘッドを前方から観測した断面図である。
【図６】第３実施例のゴルフクラブヘッドの上面図である。
【図７】図６のクラブヘッドを側方から観測した断面図である。
【図８】第４実施例のゴルフクラブヘッドの上面図である。
【図９】図８のクラブヘッドを側面から観測した断面図である。
【図１０】第５実施例のゴルフクラブヘッドの上面図である。
【図１１】図１０のクラブヘッドを前方から観測した断面図である。
【図１２】第６実施例のゴルフクラブヘッドの上面図である。
【図１３】図１２のクラブヘッドを前方から観測した断面図である。
【図１４】他の実施例のゴルフクラブヘッドの部分前面断面図である。
【図１５】図１４のゴルフクラブヘッドのXV-XV線に対応した上面断面図である。
【図１６】本開示の例に基づいてゴルフクラブヘッドを準備する方法のフローチャートである。
【図１７】ゴルフクラブヘッドの上面断面図である。
【実施例】
【００１０】
図１−３を参照すると、ゴルフクラブは、クラブヘッド１２、ホーゼル１４、シャフト１６を備える。クラブヘッド１２は、一般的にステンレス鋼、チタン、又は高ずれせん断率と高強度対重量比を有する他の材料で作られた中空のボディ１８で構成されている。中空のボディ１８は、ゴルフボールをインパクトするための前壁又はフェース２０を備える。中空のボディ１８はさらに、上壁又はクラウン２２、底壁又はソール２４、及びフェース２０をクラウン２２とソール２４に接続させる横壁又はスカート２６を備える。クラブヘッド１２はさらに、ヒール端３０とトウ端３２を含む。スカート２６は、ヒール端３０とトウ端３２の間のクラブヘッド１２周囲を取り囲み、後壁２８を形成する。ゴルフクラブヘッド１２は、ドライバータイプのクラブ、フェアウェイウッド、又はハイブリッドクラブのゴルフクラブヘッドとなり得る。
【００１１】
クラウン２２は、好ましくは鋳造物である薄い壁構造を中空のボディ１８の一部として備えている。クラウン２２は、０．０７６センチメートル（ｃｍ）±０．０１３ｃｍの比較的薄い厚み寸法のチタンであるのが望ましい。クラウン２２は、クラウン２２の下表面３６から下方へ伸びている複数のリブによって補強されている。各リブ３４は、前壁２０から離れている第１端部近傍から、後壁２８から離れている第２端部近傍にまで伸びている。リブ３４は、第１端部よりも第２端部においてより離れており、好ましくは２０％を越えて離れている。隣り合うリブ３４は、少なくとも５度の角度によって、第１端部から第２端部に向けて広がっている。リブ３４は、狭く、長く、概ね直線であり、金属であり、衝撃波分配要素であり、厚み寸法が０．０５１ｃｍ±０．０１３ｃｍであり、幅寸法が０．１７８±０．０１３ｃｍである。リブ３４は、断面で観測したときに概ね下方に向けて凸であり、クラウン２２の下表面３６に滑らかに一体化する。クラウン２２にはリブ３４間を横方向に伸びるリブがないことが分かる。
【００１２】
クラウン２２の下表面３６は、前側部分及び後側部分を備える。前側部分及び後側部分は、前壁２０の最も前方となる点と後壁２８の最も後方となる点の間の距離に対して略半分において、前壁２０に対して概ね平行な中間線によって定義される。リブ３４の第１端部はクラウン２２の前側部分で終結し、リブ３４の第２端部はクラウン２２の後側部分で終結する。
【００１３】
図２において明確に示されるように、リブ３４は、リブ３４の長手軸３８が前壁２０の前方に位置するポイント４０から放射状に広がり及びポイント４０で交差するようなパターンで配列されている。ポイント４０は、前壁２０の幅の３分の１（W／３）の中央内に位置するのが望ましく、前壁２０の中心線の実質的に前方に位置するのが望ましい。ここで用いられるクラブヘッド１２は３次元体であるので、図２で平面視したときに、ポイント４０は単一点である。代替として、ポイント４０は、リブ３４の中心線を通過する垂直面の交差点で構成される垂直線と考えられる。
【００１４】
リブ３４は、前壁２０の後表面４４とクラウン２２の下表面３６の交差点４２に近接する第１位置を起源とし、後壁２８に近接する第２位置にまで伸びている。実施態様では、少なくとも半分、好ましくは全てのリブ３４が、前壁２０からクラブヘッド１２の半分のポイント（Ｌ／２）を越えており、いずれの横断リブによって交差されていない。加えて、各リブ３４は、クラウン２２の薄い部分によってのみ他のリブ３４と連結されており、他のリブ３４から独立している。好ましくは、ポイント４０もまた、前壁２０からＬ／２よりも前方ではない。これにより、１０個のリブ３４が約６０度の角度で広がるパターンとなり、又は、隣り合うリブ３４間では４〜８度、好ましくは約６度で発散するパターンとなる。
【００１５】
リブ３４のこの配列による驚くべき結果は、０．０５１ｃｍの厚みと０．１７８ｃｍの幅の垂直リブのアレイでは、何も補強していないクラウン領域と比較して最大ストレスが９％だけ減少するのに対し、放射状の扇パターンで配列されたリブ３４はクラウン領域の最大ストレスを約３６％減少させる。特定の動作理論に固辞するわけではないが、フェース２０が打撃点から外側に向けて不均一に変形し、同様に打撃点から外側に向けて放射状の不均一な形で、荷重がクラウンに伝達されると思われる。したがって、打撃点近くから外側に放射状で伸びるようにリブ３４が配列されると、クラウン２２がインパクト中にフェース２０をより効果的に支持することとなる。
【００１６】
図１−３に示されるように、実質的に一定の幅と厚みの直線リブに加えて、リブを備えたゴルフクラブヘッドの他の代替の実施形態も可能である。例えば、リブが曲がっていてもよく、リブの厚み及び／又は幅が変化してもよい。
【００１７】
例として、図４にゴルフクラブヘッドの他の実施形態を示す。図５は、図４の実施形態の「５」が付された線に対応する断面図を示す。ゴルフクラブヘッド４１２（図４）は、前壁４２０を有する中空のボディ４１８（図４）、クラウン４２２（図４）、ソール５２４（図５）、クラウン４２２とソール５２４を接続する横壁５２６（図５）、ヒール端４３０（図４）、トウ端４３２（図４）、及び前壁４２０の反対側の後側４２８（図４）を含む。加えて、ゴルフクラブヘッド４１２はクラウン４２２の下表面から下方に伸びるリブ４４０（図４）を含むことができる。図４に示される実施形態の例では、リブ４４０は、前壁４２０近傍にある第１端及び後側４２８近傍にある第２端を有するリブ４４１、４４２、４４３、４４４、４４５、４４６を備える。
【００１８】
１つ又は複数のリブ４４０が曲がる例もある。一例では、図４の例のように、リブ４４１、４４２、４４３、４４４、４５５、４４６の各々が曲がっている。しかしながら、他の例では、リブ４４０のいくつかが曲がっていなくてもよい。例えば、リブ４４１が直線とすることができる。リブ４４０が曲がっていると、リブ４４０の長さが増加する。リブの長さが長いほど、多くのリブが振動を吸収することができる。
【００１９】
図４のリブ４４０の各々は曲がっている。リブ４４０が異なる方向に曲がる例もある。例えば、リブ４４１、４４２、４４３がある一つの方向に曲がり、リブ４４４、４４５、４４６がそれの反対方向に曲がってもよい。リブ４４１、４４２、４４３は、トウ端４３２に対して凸状に曲がることができる。したがって、リブ４４１、４４２、４４３の第１及び第２端はトウ端４３２から離れてヒール端４３０に向けて曲がる。一方、リブ４４４、４４５、４４６はヒール端４３０に対して凸状に曲がる。したがって、リブ４４４、４４５、４４６の第１及び第２端はヒール端４３０から離れてトウ端４３２に向けて曲がる。一例では、リブ４４０の少なくとも２つが前壁４２０に向けて直線又は湾曲の形状で前方に伸びたとすれば、交差することとなる。例えば、リブ４４２の直線状の延長は、リブ４４４の直線状の延長と前壁４２０の近くで交差し、他の実施形態では、前壁４２０の前で交差するだろう。リブ４４０の他の湾曲配列が存在し得ることに留意されたい。例えば、リブ４４０のうち他の方向よりも一方の方向へ曲がるリブを多くしてもよく、又は、全てのリブを同一方向に曲げてもよい。さらに、６つのリブ４４０よりも少ない又は多くてもよい。
【００２０】
リブ４４０の各々が曲率半径を有してもよい。曲率半径とは、外挿リブによって作られる円の半径である。ある例では、リブ４４０の各々が異なる曲率半径を持つ。他の例では、いくつかの半径が略同一であってもよい。
【００２１】
図４に示されるゴルフクラブヘッド４１２の例では、リブ４４１が最大の曲率半径を有する。リブがリブ４４１に対してヒール端４３０又はトウ端４３２に近づくと、リブの曲率半径が減少する。例えば、リブ４４２の曲率半径がリブ４４１よりも小さく、リブ４４３の曲率半径はリブ４４２よりも小さい。さらに、リブ４４４の曲率半径はリブ４４１よりも小さく、リブ４４５の曲率半径がリブ４４４よりも小さく、リブ４４６の曲率半径がリブ４４５よりも小さい。他の例では、リブがリブ４４１に対してヒール端４３０又はトウ端４３２に近づくと、リブ４４０の曲率半径が増加することができる。さらに他の例では、リブ４４０の曲率半径は、リブ４４１に対する位置とは関係ないものとすることができる。
【００２２】
同一又は他の例では、リブの曲率半径が、リブ４４１に対する位置に応じて対称とすることができる。例えば、リブ４４２の曲率半径が、リブ４４４の曲率半径と略同一とすることができ、リブ４４３の曲率半径がリブ４４５の曲率半径と同一とすることができる。他の例では、リブ４４０の曲率半径が相互に非対称である。
【００２３】
リブ４４０の各々は、幅寸法を有する。図４の例では、リブ４４０の各々が、他のリブと略同一の幅を有することができる。他の例では、リブ４４０が他の全てのリブと同一ではない幅を有することができる。ある例では、リブ４４０の各々は、テーパ状の第１端とテーパ状の第２端を有する。他の例では、第１端及び／又は第２端がテーパ状ではない。
【００２４】
さらに、リブ４４０の各々は、厚み寸法を有する。厚み寸法は、リブがクラウン４２２から中空のボディ４１８内へ伸びる距離として測定される。図５の例では、リブ４４０の各々が、他のリブの各々の厚みと略同一である厚みを有する。他の例では、リブ４４０が他のリブとは同一ではない厚みを有することができる。
【００２５】
リブ４４０の各々は長さ寸法も有する。長さ寸法は、リブの第１端と第２端の間の（湾曲する）距離として測定される。図４の例では、トウ端４３２とヒール端４３０の間の中間点寄りのリブが最大の長さを有する。さらに、リブの長さは、リブがトウ端４３２又はヒール端４３０に近づくと減少する。一例では、リブ４４１が最大の長さを有しており、リブ４４２の長さがリブ４４３よりも長く、リブ４４４の長さがリブ４４５よりも長く、リブ４４５の長さがリブ４４６よりも長い。他の例では、全てのリブ４４０が略同一の長さを有する。
【００２６】
図６は、ゴルフクラブヘッドの他の実施形態を示す。図７は、図６の実施形態において「７」と付された線に対応する断面図を示す。ゴルフクラブヘッド６１２（図６）は、前壁６２０（図６）を有する中空のボディ６１８（図６）、クラウン６２２（図６）、ソール７２４（図７）、クラウン６２２とソール６２４を接続する横壁７２６（図７）、ヒール端６３０（図６）、トウ端６３２（図６）、及び後側６２８（図６）を備えている。さらに、ゴルフクラブヘッド６１２はまた、クラウン６２２の下表面から下方に向けて伸びるリブ６４０（図６）を含むことができる。図６に示される実施形態の例では、リブ６４０は、トウ端６３２近傍にある第１端及びヒール端６３０近傍にある第２端を有するリブ６４１、６４２、６４３、６４４、６４５、６４６を備える。
【００２７】
１つ又は複数のリブ６４０が曲がる例もある。一例では、図６の例のように、リブ６４１、６４２、６４３、６４４、６４５、６４６の各々が曲がる。しかしながら、他の例では、リブ６４０のいつくかが曲がっていなくてもよい。例えば、リブ６４１を直線とすることができる。
【００２８】
図６のリブ６４０の各々は曲がっている。ある例では、リブ６４０の全てが同一方向に曲がっている。例えば、リブ６４１、６４２、６４３、６４４、６４５、６４６が前壁６２０に対して凸状に曲がる。したがって、リブ６４０の第１及び第２端が前壁６２０から離れるように曲がる。リブ６４０の他の湾曲配列があることに留意されたい。例えば、ゴルフクラブヘッドの寸法が前壁６２０に対して後側６２８において急激に減少すると、リブ６４０のいくつかは前壁６０２に対して凸状に湾曲してもよい。他の実施形態では、リブ６４０のいくつかは、前壁６２０近傍にある第１端及び後側６２８近傍にある第２端を有してもよい。加えて、６つのリブ４４０よりも少なく又は多くてもよい。
【００２９】
リブ６４０の各々は曲率半径を有することができる。リブ６４０の各々が異なる曲率半径を有する例もある。他の例では、曲率半径のいくつかが略同一とすることができる。
【００３０】
図６に示されるゴルフクラブヘッド６１２の例では、リブ６４１が最大の曲率半径を有する。リブが後端６２８に近づくと、リブの曲率半径が減少する。例えば、リブ６４２の曲率半径はリブ６４１よりも小さく、リブ６４３の曲率半径はリブ６４２よりも小さく、リブ６４４の曲率半径はリブ６４３よりも小さく、リブ６４５の曲率半径はリブ６４４よりも小さく、リブ６４６の曲率半径はリブ６４５よりも小さい。他の例では、後端６２８により近いリブ６４０の曲率半径を大きくすることができる。さらに他の例では、リブ６４０の曲率半径は、後端６２８に対するリブの位置とは関係がない。
【００３１】
リブ６４０の各々は幅寸法を有する。図６の例では、リブ６４０の各々は他のリブと略同一の幅を有する。他の例では、リブ６４０は他のリブと同一ではない幅を有することができる。リブ６４０の各々がテーパ状の第１端及びテーパ状の第２端を有する例もある。他の例では、第１端及び／又は第２端がテーパ状ではない。
【００３２】
さらに、リブ６４０の各々が厚み寸法を有する。厚み寸法は、リブがクラウン６２２から中空のボディ６１８内に伸びる距離として測定される。図７の例では、リブ６４０の各々は、他のリブの各々の厚みと略同一の厚みである。他の例では、リブ６４０は他のリブと同一でない厚みを有することができる。
【００３３】
リブ６４０の各々はまた長さ寸法を有する。長さ寸法は、リブの第１端と第２端の間の（湾曲する）距離として測定される。図６の例では、前壁６２０により近いリブが後側６２８により近いリブよりも大きい長さを概ね有する。一例では、リブ６４２の長さがリブ６４３よりも長く、リブ６４３の長さがリブ６４４よりも長く、リブ６４４の長さはリブ６４５よりも長く、リブ６４５の長さはリブ６４６よりも長い。しかしながら、リブ６４２の長さはリブ６４１よりも長い。他の例では、リブ６４０の全ては略同一の長さを有する。
【００３４】
図８は、ゴルフクラブヘッドの他の実施形態を示す。図９は、図８の実施形態において「９」と付された線に対応する断面図を示す。ゴルフクラブヘッド８１２（図８）は、前壁８２０（図８）を有する中空のボディ８１８（図８）、クラウン８２２（図８）、ソール９２４（図９）、クラウン４２２とソール５２４を接合する横壁９２６、ヒール端８３０（図８）、トウ端８３２（図８）、及び前壁８２０の反対側の後側８２８（図８）を含む。さらに、ゴルフクラブヘッド８１２はまた、クラウン８２２の下表面から下方に伸びるリブ８４０（図８）を含むことができる。図８に示される実施形態の例では、リブ８４０は、トウ端８３２近傍にある第１端及びヒール端８３０近傍にある第２端を有してもよい。
【００３５】
１つ又は複数のリブ８４０が曲がる例もある。一例では、図８の例のように、リブ８４１、８４２、８４３、８４４、８４５が曲がる。しかしながら、他の例では、リブ８４０のいくつかは曲がらなくてもよい。例えば、リブ８４１を直線とすることができる。
【００３６】
図８のリブ８４０の各々は曲がっている。リブ８４０の全てが同一方向に曲がる例もある。例えば、リブ８４１、８４２、８４３、８４４、８４５は、前壁８２０に対して凹状に曲がる。したがって、リブ８４０の第１端及び第２端は前壁８２０に向けて曲がる。リブ８４０の他の湾曲配列があり得ることに留意されたい。例えば、リブ８４０のいくつかは、前壁８２０近傍にある第１端及び後側８２８近傍にある第２端を有していてもよい。さらに、６つのリブ８４０よりも少ない又は多くてもよい。
【００３７】
リブ８４０の各々は曲率半径を有する。リブ８４０の各々が異なる曲率半径を有する例もある。他の例では、いくつかの曲率半径は略同一である。
【００３８】
図８に示されるゴルフクラブヘッド８１２の例では、リブ８４１が最小の曲率半径を有する。リブの曲率半径は、リブが後端８２８に近づくと増加する。例えば、リブ８４２の曲率半径は、リブ８４１よりも大きく、リブ８４３の曲率半径はリブ８４２よりも大きく、リブ８４４の曲率半径はリブ８４３よりも大きく、リブ８４５の曲率半径はリブ８４４よりも大きい。他の例では、リブ８４０の曲率半径は、後端８２８に対するリブの位置に関係しない。
【００３９】
いくつかの又は他の例では、リブの曲率半径は、リブが同心となるようにすることができる。リブ８４０の各々が完全な円となるように外挿すると、結果の円は同心となる。他の例では、リブ８４０の曲率半径は同心ではない。
【００４０】
リブ８４０の各々は、幅寸法を有する。図８の例では、リブ８４０の各々は、他のリブと略同一の幅を有する。他の例では、リブ８４０は、他のリブと同一ではない幅を有することができる。リブ８４０の各々がテーパ状の第１端とテーパ状の第２端を有する例もある。他の例では、第１端及び／又は第２端がテーパ状ではない。
【００４１】
さらに、リブ８４０の各々は、厚み寸法を有する。厚み寸法は、リブがクラウンから中空のボディ８１８内に伸びる（湾曲する）距離として測定される。図９の例では、リブ８４０の各々は、他のリブの厚みと略同一の厚みを有する。他の例では、リブ８４０は、他のリブと同一でない厚みを有する。
【００４２】
リブ８４０の各々はまた、長さ寸法を有する。長さ寸法は、リブの第１端と第２端の間の距離として測定される。図８の例では、後側８２８により近いリブは、前壁８２０により近いリブよりも長い。一例では、リブ８４５が最大の長さを有する。リブ８４４の長さはリブ８４３よりも長く、リブ８４３の長さはリブ８４２よりも長く、リブ８４２の長さはリブ８４１よりも長い。他の例では、リブ８４０の全てが略同一の長さを有する。
【００４３】
湾曲するリブに加えて、ゴルフクラブヘッドは、変化する幅を有するリブを備えていてもよい。例えば、図１０は、ゴルフクラブヘッドの他の例を示す。図１１は、図１０の実施形態において「１１」と付された線に対応する断面図を示す。ゴルフクラブヘッド１０１２（図１０）は、前壁１０２０（図１０）を有する中空のボディ１０１８（図１０）、クラウン１０２２（図１０）、ソール１１２４（図１１）、クラウン１０２２とソール１１２４を接続する横壁１１２６（図１１）、ヒール端１０３０（図１０）、トウ端１０３２（図１０）、及び前壁１０２０とは反対側の後側１０２８（図１０）を含む。さらに、ゴルフクラブヘッド１０１２はまた、クラウン１０２２の下表面から下方に伸びるリブ１０４０（図１０）を含むことができる。図１０に示される実施形態の例では、リブ１０４０は、前壁１０２０近傍にある第１端及び後端１０２８近傍にある第２端を有するリブ１０４１、１０４２，１０４３、１０４４、１０４５を備える。
【００４４】
１つ又は複数のリブ１０４０が直線状の例もある。一例としては、図１０の例のように、リブ１０４１、１０４２，１０４３、１０４４、１０４５の各々は直線である。しかしながら、他の例では、リブ１０４０のいくつかが直線でなくてもよい。例えば、１つ又は複数のリブ１０４０が曲がることができる。リブ１０４０が配列され、それにより、リブ１０４０の軸の各々が共通点で収束する例もある。他の例では、リブ１０４０の軸の各々が共通点で収束しない。
【００４５】
リブの各々は幅寸法を有する。図１０の例では、リブ１０４０の各々がテーパ状の幅を有する。例えば、リブ１０４０の各々の幅は、中間点から第１端及び第２端に向けて幅が減少する。図１０に示されるように、リブ１０４０の各々の中間点の幅が他のリブのそれぞれの中間点での幅に略等しいとすることができる。他の例では、リブ１０４０は、他のリブのそれぞれの中間点での幅とは異なる幅を中間点において有することができる。
【００４６】
リブ１０４０の幅は任意の率でテーパすることができる。例えば、図１０に示されるように、幅は、円滑であり、非一定のテーパであり、これにより、リブ１０４０が長く伸びた楕円形となる。他の例では、幅は直線状又は一定にテーパすることができ、これにより、リブ１０４０がダイヤモンドのような形態を有する。
【００４７】
さらに、リブ１０４０の各々は、厚み寸法を有する。厚み寸法は、リブがクラウン１０２２から中空のボディ１０１８内に伸びる距離として測定される。図１１の例では、リブ１０４０の各々がテーパ状の厚みを有する。例えば、リブ１０４０の各々の厚みは、中間点から第１端及び第２端に向けて減少する。図１１で示されるように、リブ１０４０の各々は、他のリブのそれぞれの中間点での厚みに略等しいと厚みを有することができる。他の例では、リブ１０４０は、他のリブのそれぞれの中間点での厚みとは異なる厚みを有することができる。
【００４８】
リブ１０４０の厚みは、任意の率でテーパすることができる。例えば、図１１に示されるように、厚みは、円滑であり、非一定のテーパであり、これにより、リブ１０４０が円滑な輪郭となる。他の例では、厚みはより急激に、直線状又は一定にテーパすることができ、これにより、リブ１０４０がリブ１０４０の中間点でより尖った高さを持つ形態となる。
【００４９】
リブ１０４０の各々はまた、長さ寸法を有する。長さ寸法は、リブの第１端と第２端の間の距離として測定される。図１０の例では、トウ端１０３２とヒール端１０３０の間の中間点により近いリブが、トウ端１０３２又はヒール端１０３０により近いリブよりも長い。一例では、リブ１０４１が最大の長さを有する。リブ１０４２の長さがリブ１０４３よりも長く、リブ１０４４の長さがリブ１０４５よりも長い。他の例では、リブ１０４０の全てが略同一の長さを有する。
【００５０】
図１２は、ゴルフクラブヘッドの他の実施形態を示す。図１３は、図１２の実施形態の「１３」と付された線に対応する断面図を示す。ゴルフクラブヘッド１２１２（図１２）は、前壁１２２０（図１２）を有する中空のボディ１２１８（図１２）、クラウン１２２２（図１２）、ソール１３２４（図１３）、クラウン１２２２とソール１３２４を接続する横壁１３２６（図１３）、ヒール端１２３０（図１２）、トウ端１２３２（図１２）、及び前壁１２２０に対して反対側の後側１２２８（図１２）を備える。さらに、ゴルフクラブヘッド１２１２はまた、クラウン１２２２の下表面から下方に向けて伸びるリブ１２４０（図１２）を含むことができる。図１２に示される実施形態の例では、リブ１２４０は、前壁１２４０近傍にある第１端及び後端１２２８近傍にある第２端を有するリブ１２４１、１２４２、１２４３、１２４４、１２４５を備える。
【００５１】
１つ又は複数のリブが直線の例もある。一例では、図１２の例にあるように、リブ１２４１、１２４２、１２４３、１２４４、１２４５が直線である。しかしながら、他の例では、リブ１２４０のいくつかが直線でなくてもよい。例えば、１つ又は複数のリブ１２４０が曲がることができる。リブ１２４０が配列され、これにより、リブ１２４０の軸の各々が共通点で収束する例もある。共通点は前壁よりも前方にある例もある。他の例では、リブ１２４０の軸の各々が共通点で収束しない。
【００５２】
リブ１２４０の各々が幅寸法を有する。図１２の例では、リブ１２４０の各々が、実質的に一定の幅を有する。リブ１２４０の幅が第１端及び第２端でテーパする例もある。他の例では、リブ１２４０の各々の幅を変えることができる。例えば、リブがトウ端１２３２とヒール端１２３０の間の中間点に近づくと、特定のリブの幅が大きくなる。図１２に示されるように、リブ１２４１が最大の幅を有し、リブ１２４２の幅がリブ１２４３の幅よりも大きく、リブ１２４４の幅がリブ１２４５の幅よりも大きい。ゴルフクラブヘッド１２１２では、リブ１２４０の幅が対称となる例もある。例えば、リブ１２４３の幅がリブ１２４５の幅と略等しく、リブ１２４２の幅がリブ１２４４の幅と略等しい。他の例では、ゴルフクラブヘッド１２１２において、リブ１２４０の幅が非対称である。他の例では、リブ１２４０の幅が、例えば、リブがトウ端１２３２又はヒール端１２３０に近づくと増加するように変化することができる。さらに他の例では、リブ１２４０の幅が、トウ端１２３２及び／又はヒール端１２３０に対するリブの位置とは無関係である。リブ１２４０は、より大きな幅を有するリブがより大きな振動領域に位置することができるように配置することができる。
【００５３】
さらに、リブ１２４０の各々が厚み寸法を有する。厚み寸法は、リブがクラウン１２２２から中空のボディ内に伸びる距離として測定される。図１３の例では、リブ１２４０の各々が実質的に一定の厚みを有する。また、図１３に示されるように、リブ１２４０の各々が、他のリブの少なくとも１つの厚みと異なる厚みを有することができる。リブ１２４０の厚みは、リブがトウ端１２３２とヒール端１２３０の間の中間点に近づくと増加する例もある。図１２に示されるように、リブ１２４１が最大の厚みを有することができ、リブ１２４２の厚みがリブ１２４３の厚みよりも大きく、リブ１２４４の厚みがリブ１２４５の厚みよりも大きい。ゴルフクラブヘッド１２１２では、リブ１２４０の厚みが対称となる例もある。例えば、リブ１２４３の厚みがリブ１２４５の厚みと略等しく、リブ１２４２の厚みがリブ１２４４の厚みと略等しい。他の例では、ゴルフクラブヘッド１２１２において、リブ１２４０の厚みが非対称である。他の例では、リブ１２４０の厚みが、例えば、リブがトウ端１２３２又はヒール端１２３０に近づくと増加するように変化することができる。さらに他の例では、リブ１２４０の厚みが、トウ端１２３２及び／又はヒール端１２３０に対するリブの位置とは無関係である。リブ１２４０は、より大きな厚みを有するリブがより大きな振動領域に位置することができるように配置することができる。
【００５４】
リブ１２４０の各々はまた、長さ寸法を有する。長さ寸法は、リブの第１端と第２端の間の距離として測定される。図１２の例では、トウ端１２３２とヒール端１２３０の間の中間点により近いリブが、トウ端１２３２又はヒール端１２３０により近いリブよりも長い。一例では、リブ１２４１が最大の長さを有する。リブ１２４２の長さがリブ１２４３よりも長く、リブ１２４４の長さがリブ１２４５よりも長い。他の例では、リブ１２４０の全てが略同一の長さを有する。
【００５５】
他の例では、リブは、リブ毎にテーパするとともに変化する幅及び／又は高さを有することができる。例えば、リブは、図１０のリブ１０４０によって示されるテーパ状の幅を有することができ、図１２のリブ１２４０によって示される変化する幅を有することができる。さらに、リブは、図１１のリブ１０４０によって示されるテーパする厚みを有することができ、図１３のリブ１２４０によって示される変化する厚みを有することができる。
【００５６】
他の実施形態では、ゴルフクラブヘッドを提供する方法が提供される。ゴルフクラブヘッドを提供する方法は、ヒール端、トウ端、上表面と下表面を有するクラウン、ソール、前壁、後側、及び第１端から第２端まで伸びるとともにクラウンの下表面から下方に伸びるリブを有するボディを提供する工程を含むことができる。さらに、リブは、第１リブと、湾曲する少なくとも１つの第２リブと、を備えることができる。一例では、ヒール端が、ヒール端４３０（図４）、ヒール端６３０（図６）、又はヒール端８３０（図８）とすることができる。トウ端が、トウ端４３２（図４）、トウ端６３２（図６）、又はトウ端８３２（図８）とすることができる。クラウンが、クラウン４２２（図４）、クラウン６２２（図６）、クラウン８２２（図８）とすることができる。ソールが、ソール５２４（図５）、ソール７２４（図７）、ソール９２４（図９）とすることができる。前壁が、前壁４２０（図４）、前壁６２０（図６）、前壁８２０（図８）とすることができる。後側が、後側４２８（図４）、後側６２８（図６）、後側８２８（図８）とすることができる。リブが、リブ４４０（図４）、リブ６４０（図６）、リブ８４０（図８）とすることができる。
【００５７】
一例では、リブは、ボディと一体で設けられてもよい。他の例では、リブは、ボディから最初は分離されて設けられてもよい。その後、リブは、ろう付け技術、はんだ付け技術、又は接着剤によってボディに結合させることができる。
【００５８】
他の実施形態では、ゴルフクラブヘッドを提供する方法が提供される。ゴルフクラブヘッドを提供する方法は、ヒール端、トウ端、上表面と下表面を有するクラウン、ソール、前壁、後側、及びクラウンの下表面から下方に伸びるとともに前壁近傍の第１端から後側近傍の第２端まで伸びる略直線のリブを有するボディを提供する工程を含むことができる。さらに、リブは、その中間点から端部までテーパする幅を有することができる例もある。同一の又は他の例では、少なくとも２つのリブの幅が異なる。一例では、ヒール端が、ヒール端１０３０（図１０）、ヒール端１２３０（図１２）とすることができる。トウ端が、トウ端１０３２（図１０）、トウ端１２３２（図１２）とすることができる。クラウンが、クラウン１０２２（図１０）、クラウン１２２２（図１２）とすることができる。ソールが、ソール１１２４（図１１）、ソール１３２４（図１３）とすることができる。前壁が、前壁１０２０（図１０）、前壁１２２０（図１２）とすることができる。後側が、後側１０２８（図１０）、後側１２２８（図１２）とすることができる。リブが、リブ１０４０（図１０）、リブ１２４０（図１２）とすることができる。
【００５９】
一例では、リブは、ボディと一体で設けられてもよい。他の例では、リブは、ボディから最初は分離されて設けられてもよい。その後、リブは、ろう付け技術、はんだ付け技術、又は接着剤によってボディに結合させることができる。
【００６０】
続いて図面を参照すると、図１４は、クラブヘッド１４０の正面の一部断面図を示す。図１５は、図１４のＸＶ−ＸＶ線に対応するゴルフクラブヘッド１４０の上部断面図を示す。ゴルフクラブヘッド１４０は、本願で開示される他のゴルフクラブヘッド（ゴルフクラブヘッド１２（図１−４）など）に類似しているが、リブ表面１４１５に位置するリブ１４２０を備えている点で相違している。ここで、リブ表面１４１５とはリブ１４２０の伸張及びそれらの間のスペースによって定義される。本実施例では、リブ１４２０はリブ表面１４１５とともに単一材料を有するが、リブ１４２０がリブ表面１４１５と一体でなく、１つ又は複数の機械的又は化学的な留め具を介して固定される例であってもよい。また、本実施例では、リブ表面１４１５がゴルフクラブヘッド１４０のソール１４１３に位置している。
【００６１】
プレイヤー又はゴルフクラブヘッドの使用者は、ゴルフクラブヘッドでゴルフゴールをインパクトしたときの音に基づいて、打撃の質を評価することが多い。一貫したインパクト時の音を維持することは、プレイヤー又は使用者がコンフォートゾーンを維持し、及び／又はそのような音／質の関係に係る予想を維持するためには有利なものとなり得る。このことを考慮すると、ゴルフクラブヘッド１４０がゴルフボール１５７０（図１５）のようなゴルフボールをインパクトしたときに、リブ１４２０は、ストレス及び／又は振動を通して所望のインパクト音を達成するように構成されていてもよい。そのような特性は、より良いパフォーマンスの研究に基づいてゴルフクラブヘッドの形態に対して他の変更又は改良が行われた結果として所望の音特性が変化するような場合でも、ゴルフクラブヘッドのデザインにおいて所望の音特性を維持し及び／又は回復させるためには価値があるだろう。さらに、本願に開示される他のゴルフクラブヘッドに関して既に記述されているように、リブ１４２０は、リブ表面１４１５が位置するゴルフクラブヘッドの一部の特性を補強して、ストレス又はインパクト力をより消散又は通過させる。
【００６２】
クラブヘッドのソールは、そのようなクラブヘッドのクラウンには一般的に存在しない窪み、突出、及び／又はウェイトといったソール特性を有することが多い。加えて、リブ１４２０（図１４）は、ストレス又はインパクト力をそのようなソール特徴に向けて又は離れるように分散又は消散させ、所望のインパクト音を達成又は維持するために構成されてもよい。例えば、リブ１４２０は、そのようなソール特徴において又はその周囲においてストレスの集中を避けるように、インパクト力を分散又は消散させてもよい。同一の又は他の例において、リブ１４２０は、ソールのウェイト１５９０（図１５）又は１つ以上のウェイトのようなソール特徴に向けてインパクト力を案内又は送ってもよい。その結果、ストレスをソール以外の他の弱い場所で緩和又は消散するのではなく、当該ソール特徴において適切に緩和又は消散される。クラブヘッドのソールのそのようなリブの配置によって、ソールの一部が改良され又は薄くされ、クラブヘッドの至る所において、重量を除去又は再配置することが可能となる。一例では、ソール１４１３は、クラブヘッド１４０の前に向けて薄くなるように構成されてもよく、クラブヘッド１４０の後ろに向けて少なくともいくつかの部分では厚く構成されてもよい。したがって、リブ１４２０は、パフォーマンスの利点を得るために重量をソールから至る所に再配置させながら、ゴルフクラブヘッド１４０がゴルフボールをインパクトしたときに、インパクトストレスを適切に抵抗するために、ソール１４１３を補強することができる。同一の又は他の例では、リブ１４２０は、ゴルフクラブヘッド１４０がスイングされたときにソール１４１３が地面を叩いたとしても、その地面インパクト力に対してソール１４１３を補強するように構成されてもよい。
【００６３】
リブ１４２０は、インパクト音を調整及び／又はクラブヘッド１４０のインパクト構造的補強を提供するために、クラウン１４１４ではなくソール１４１３に設けられてもよく、同時に、ゴルフクラブヘッド１４０の重心を上げるのではなく下げている。リブ１４２０における図１４−１６に示される以外の配置もまた、他の実施形態で可能である。例えば、クラブヘッドは、図１−１３の１つ以上の配置に類似する配置のリブを備えてもよい。ただし、そのようなリブは、ゴルフクラブヘッドのクラウンではなくソールに配置される。ゴルフクラブヘッドのソールのそのようなリブの他の配置は、クラウンではなくクラブヘッドのソールに配置されることで、ソール１４１３に配置されたリブ１４２０に関する上述のような更なる利点が提供され得る。
【００６４】
ゴルフクラブヘッド１４０は、ヒール端１４１１、トウ端１４１２、ソール１４１３、クラウン１４１４、前表面１４１６（打撃面１４３０及びターゲット打撃範囲１４３１を含む）、後表面１５１７（図１５）及びスカート部１４１８を有するボディ１４１０を備える。ボディ１４１０はまた、リブ１４２０が突出するリブ表面１４１５を備える。本実施例では、リブ１４２０はリブ長手軸１５２１（図１５）を有するリブ１４２１、リブ長手軸１５２２（図１５）を有するリブ１４２２、リブ長手軸１５２３（図１５）を有するリブ１４２３を備えており、リブ長手軸１５２１−１５２３はボディ１４１０の外部の共通点１５５０（図１５）で交差する。リブ１４２１はヒール端１４１１に最も近い位置にあり、リブ１４２２はボディ１４１０のトウ端１４１２に最も近い位置にあり、リブ１４２３はリブ１４１１と１４１２の間に位置している。本実施例では、リブ１４２０は、実質的に放射状のパターンでリブ表面１４１５上に配列され、リブ１４２１とリブ１４２２の間に扇状の形を形成する。本実施例では、共通点１５５０は前表面１４１６の前方に位置している。しかしながら、共通点１５５０がボディ１４１０の外部のどこかに位置している例があってもよい。一例では、リブ１４２０に類似するリブを有するが、後表面１５１７の後方に位置する共通点で交差するように構成される異なる例があってもよい。
【００６５】
リブ１４２０は、長手軸１５２４を有するリブ１４２４、及び長手軸１５２５を有するリブ１４２５を備えている。本実施例では、長手軸１５２４及び１５２５はまた、長手軸１５２１−１５２３とともに共通点１５５０で交差する。しかしながら、リブ１４２０の長手軸の全てが共通点１５５０で交差する必要がない例もある。一例では、長手軸１５２４及び１５２５が共通点１５５０以外のどこかでボディ１４１０の外部で交差してもよい例がある。他の例では、異なる数のリブを備えることがある。一例では、リブ１４２０がたった２つのリブを備えるように、リブ１４２３−２５がない例がある。他の例では、ソール２４（図３）のリブではあるが、図１−３に記載されるのに類似した１０個のリブを有する実施形態のように、５つよりも多いリブを備える例があってもよい。そのような実施形態では、他のリブの全てと交差しないリブを備えていてもよい。
【００６６】
図１５の本実施例では、リブ表面１４１５が、ボディ１４１０において内側のソール１４１３に位置しており、そのため、リブ１４２０もボディにおいて内側に位置しており、リブ表面１４１５の反対のソール１４１３では視認できない。しかしながら、他の例では、リブ１４２０はボディ１４１０の外側であってもよい。すなわち、リブ表面がクラウン１４１４の外部表面又はソール１４１３の外部表面に位置してもよい。本実施例では、リブ１４２０はクラウン１４１４に対して凹状であり、リブ表面１４１５はソール１４１３を越えてボディ１４１０のスカート部１４１８の一部に伸びている。しかしながら、リブ１４２０がスカート部１４１８に伸びる必要がない例もある。スカート部１４１８に伸びているリブ１４２０がスカート部１４１８の１つ又は複数の部分を補強し、及び／又はゴルフクラブヘッド１４０のインパクト音を調整する点で有用であり得るという例もある。
【００６７】
図１５に見られるように、リブ１４２０の各々は前表面１４１６及び後表面１５１７から離れている。そのような特徴は、例えば、ゴルフボールをインパクトしたときに前表面１４１６とボディ１４１０の残りの部分の間の推移領域の曲げ又は変形に干渉しないという点で有用であり得る。また、本実施例では、リブ１４２０の各々は、それらの長手リブ軸に沿って前表面１４１６から異なる距離だけ離れている。一例では、リブ１４２３がリブ長手軸１５２３に沿って前表面１４１６から離れている距離は、リブ１４２１及び／又はリブ１４２２がリブ長手軸１５２１及び／又は１５２２のそれぞれに沿って前表面１４１６から離れている距離よりも長い。本実施例では、リブ１４２１は前表面１４１６から約１．７３２ｃｍ離れており、リブ１４２２は前表面１４１６から約１．６３８ｃｍ離れており、リブ１４２３は前表面１４１６から約１．７４２ｃｍ離れており、リブ１４２４は前表面１４１６から約１．７３７ｃｍ離れており、リブ１４２５は前表面１４１６から約１．７０９ｃｍ離れている。そのような異なるスペースは、打撃面１４３０とソール１４１３の間の推移領域の剛性に影響を与え又は調整することで、ゴルフクラブヘッドの１つ又は複数の特質（特性時間、反発係数、インパクト音、及び／又は感触など）を調整するという点で意味があり得る。他の実施例では、リブ１４２０が前表面１４１６から同じ距離だけ離れていてもよい。
【００６８】
本実施形態では、リブ１４２１は約４．１ｃｍの長さを有しており、リブ１４２２は約７．３ｃｍの長さを有しており、リブ１４２３は約８．６ｃｍの長さを有しており、リブ１４２４は約６．５ｃｍの長さを有しており、リブ１４２５は約８．８ｃｍの長さを有している。リブ１４２０の長さは、窪み１５８１−１５８３を含む窪み１５８０のように、リブ表面１４１５の窪み又は他の特徴を通過及び／又はその上を伸びることができる。したがって、図１５の例に見られるように、窪み１５８０は１つ又は複数のリブ１４２０の１つ又は複数の一部を部分的に覆っていてもよい。一例では、リブ１４２２及び１４２５の上部の一部が窪み１５８１上で突出しているのが見られ、リブ１４２１、１４２４、１４２３の上部の一部が窪み１５８２上で突出しているのが見られる。より具体的には、窪み１５８１の厚みがリブ１４２２，１４２５の厚みよりも小さく、このため、リブ１４２２，１４２５の上部の一部が窪み１５８１から突出する。また、窪み１５８２の厚みがリブ１４２１，１４２4，１４２３の厚みよりも小さく、このため、リブ１４２１，１４２4，１４２３の上部の一部が窪み１５８２から突出する。他の例では、リブ１４２２−１４２５の一部が窪み１５８３上で突出しているのが見られる。窪み１５８１−１５８３の全ては、リブ表面１４１５から図１４−１５の実施形態のゴルフクラブヘッド１４０の内部に突出しており、窪み１５８１−１５８２は外部ウェイトがゴルフクラブヘッド１４０の外表面に取り付けられることができる窪みを形成しており、窪み１５８３はリブ表面１４１５に位置する又は型押しされたロゴ又は他のデザインに対応することができる。しかしながら、１つ又は複数のリブ１４２０が１つ又は複数の窪み１５８０上で突出しない例があってもよい。一例では、リブ１４２０が窪み１５８３上で突出し、１つ又は複数のリブ１４２０が１つ又は複数の窪み１５８１−１５８２の接触面で終わってもよい。同一又は他の実施形態では、１つ又は複数の窪み１５８０が１つ又は複数のリブ１４２０の少なくとも一部を完全に覆っていてもよい。
【００６９】
リブ１４２０は、約４．５ミリメータ（ｍｍ）から約５ｍｍの最大幅、及び／又は約０．５から約１．０ｍｍの最大厚みを備えて構成されてもよい。より具体的には、図１４−１５の例では、リブ１４２０の最大幅が約４．８ｍｍであり、リブ１４２０の最大厚みが約０．７６ｍｍとすることができる。
【００７０】
本実施形態では、リブ１４２０がどのリブとも交差しない。さらに、リブ１４２０の厚み及び幅が前表面１４１６近傍のリブ表面１４１５に一体化する。より具体的には、リブ１４２０の各々が、前面１４１６に向けてテーパする前端と後面１５１７に向けてテーパする後端を有する。リブ１４２０の前端と後端の各々では、リブ表面１４１５に一体化するために、厚みと幅が徐々に減少する。このような特性によって、リブ１４２０がその長さに沿ってストレス及び／又は振動をより受け取り又は通過させて、交差するリブによるそのような通過の遮断又は脱線されることなく、ボディ１４１０の所望の部分に向けて又は通過して消散させる。リブ１４２０がリブ表面１４１５に一体化することは、リブ１４２０が前表面１４１６近傍で突然に突出する以上にストレスの集中を減少させることができる。しかしながら、他の実施形態では、１つ又は複数のリブがリブ１４２０の全てと交差する又はしない例があってもよく、及び／又は１つ又は複数のリブ１４２０がリブ表面１４１５に一体化しない例があってもよい。
【００７１】
図１５で見られるように、本実施例では、リブ１４２０のうちの隣り合うリブが後表面１５１７に向けて発散しており、前表面１４１６に向けて収束する。また、ボディ１４１０は、中間線１５６３で分けられる前側部分１５６１と後側部分１５６２を備えている。ここで、中間線１５６３は、前表面１４１６の最も前方の点と後表面１５１７の最も後方の点の間の距離の実質的に半分の位置で前表面１４１６に対して略平行である。本実施例では、各リブ１４２２−１４２５の前端が前側部分１５６１にあり、各リブ１４２２−１４２５の後端が後側部分１５６２にある。リブ１４２０の全てが前側部分１５６１にある前端及び後側部分１５６２にある後端を備える例があってもよい。また、本実施例では、リブ１４２０は、それらの集合体の重心がゴルフクラブヘッド１４０の重心と後表面１５１７の間に位置するように配置されている。同一又は他の例では、リブ１４２０の各々の重心が、ゴルフクラブヘッド１４０の重心と後表面１５１７の間に位置してもよい。この結果、リブ１４２０は、より好ましいインパクト及び打撃特性を得るために、もとの位置から後方に、ゴルフクラブヘッド１４０の重心を好適に移動させ得る。
【００７２】
図１４−１５の実施形態はまた、前表面１４１６にターゲット打撃範囲１４３１を示す。ターゲット打撃範囲１４３１は、ほとんどの状況下でゴルフボールをインパクトする所望のポイントとして構成されている。本実施例では、リブ１４２３の長手軸１５２３は打撃面１４３０に対して実質的に垂直であり、ターゲット打撃範囲１４３１に一致している。ターゲット打撃軸１５３３は、ターゲット打撃範囲１４３１の中心から打撃面１４３０に対して実質的に垂直に伸びている。ここで、本実施形態では、共通点１５５０は、ターゲット打撃軸１５３３上に位置しており、リブ１４２１−１４２５のリブ長手軸１５２１−１５２５はターゲット打撃軸１５３３上で交差する。リブ長手軸１５２３はターゲット打撃軸１５３３と同一線上であり得る。
【００７３】
図１５に見られるように、共通点１５５０はターゲット打撃範囲１４３１から距離１５７１だけ離れている。距離１５７１は、ゴルフボール１５７０の約半径を含む。距離１５７１は約２１．３ｍｍであってもよく、及び／又は全米ゴルフ協会（ＵＳＧＡ）の規則に適合したゴルフボールの半径に合致してもよい。現在、全米ゴルフ協会は、ゴルフボールの直径が１．６８０インチ（４２．６７ｍｍ）を下回らないことに適合することを要求している。他の例では、共通点はターゲット打撃範囲１４３１から、例えばゴルフボールの直径などのように、異なる距離だけ離れていてもよい。
【００７４】
本実施例では、ゴルフクラブヘッド１４０は、ソール１４１３の少なくとも一部に位置するソールウェイト１５９０を備えていてもよい。ソールウェイト１５９０は、ソール１４１３の最下点に位置しており、ゴルフクラブヘッド１４０の重心を効果的に低くし、ソールウェイト１５９０はソール１４１３のそのような最下点を埋めるために成形されてもよい。本実施例ではソールウェイト１５９０がソール１４１３と同一材料を備えているが、同一又は他の例では、ソールウェイト１５９０がソール１４１３と異なる材料又は部品を備えている例であってもよく、及び／又はソールウェイト１５９０が、接着剤、１つ又は複数のねじ、溶接、及び／又はろう付け等のような機械的又は化学的留め具を介してソール１４１３に固定される例であってもよい。図１５に示されるように、ソールウェイト１５９０は、リブ１４２３−１４２４のようなリブ１４２０のうちの１つ又は複数のリブを少なくとも部分的に覆っていてもよい。同一又は他の例では、ソールウェイト１５９０の厚みは、ソールウェイト１５９０の厚みに包含されるリブ１４２３−１４２４の一部に見られるように、覆われたリブの１つ又は複数の一部の厚みを吸収してもよい。
【００７５】
図をスキップして前に進むと、図１７はゴルフクラブヘッド１７０の上部断面図を示す。本実施例では、クラブヘッド１７０はゴルフクラブヘッド１４０（図１４−１５）に類似しており、リブ１４２１−１４２５（図１４−１５）に類似したリブ１７２１−１７２５を備えている。リブ１７２１−１７２５はリブ表面１７１５に位置している。リブ表面１７１５は、リブ１７２１−１７２５の１つ又は複数の一部を覆うウェイト１５９０及び窪み１５８１−１５８３の特徴を欠いている。しかしながら、窪み１５８１−１５８３のような１つ又は複数の窪み、及び／又はウェイト１５９０のような１つ又は複数のウェイトがリブ表面１７１５に位置する例であってもよい。
【００７６】
図を引き返すと、図１６はゴルフクラブヘッドを提供するための方法１６００のフローチャートを示す。ゴルフクラブヘッド１２（図１−３）、ゴルフクラブヘッド４１２（図４−５）、ゴルフクラブヘッド１０１２（図１０−１１）、ゴルフクラブヘッド１２１２（図１２−１３）、ゴルフクラブヘッド１４０（図１４−１５）及び／又はそれらの変形例のように、既に記載した１つ又は複数のゴルフクラブヘッドに類似したゴルフクラブヘッドの例であってもよい。
【００７７】
方法１６００のブロック１６１０は、ヒール端、トウ端、ソール、前表面及び後表面を有するゴルフクラブヘッドのボディを提供することを備える。一例では、図１４−１５の実施形態に関しては、ボディがボディ１４１０に類似してもよく、トウ端がトウ端１４１２に類似してもよく、ヒール端がヒール端１４１１に類似してもよく、ソールがソール１４１３に類似してもよく、前表面が前表面１４１６に類似してもよく、後表面が後表面１５１７に類似してもよい。対応する関連性は、本願で教示される他のゴルフクラブヘッド又はその変形例にも想定される。
【００７８】
方法１６００のブロック１６２０は、ボディのリブ表面から突出する複数のリブを提供することを備えている。一例では、図１４−１５の実施形態に関しては、リブ表面はリブ表面１４１５に類似してもよく、複数のリブは複数のリブ１４２０に類似してもよい。例えば、複数のリブはリブ１４２１−１４２５の一部を備えていてもよい。対応する関連性は、本願で教示される他のゴルフクラブヘッド又はその変形例のリブにも想定される。複数のリブの少なくとも一部は、例えば図１５の前表面１４１６の前方に位置する共通点１５５０に関して示されるように、ボディの外部の共通点で交差してもよい。しかしながら、共通点がボディの前表面の前方に位置する必要がない例であってもよい。加えて、複数のリブがリブ表面と同一材料を備えていてもよく、又は、複数のリブが機械的又は化学的留め具を介して固定されていてもよい。
【００７９】
ブロック１６２０で複数のリブを提供することは、ボディの内部にリブ表面及び複数のリブを提供することを備えていてもよく、及び／又はボディのソールに複数のリブを提供することを備えていてもよい。他の例では、複数のリブは、ボディの外部であってもよく、及び／又はボディのクラウン及び／又はボディのスカート部のような任意の場所に複数のリブが提供されてもよい。
【００８０】
方法１６００の異なるブロックが単一ブロックとして又は他のブロックと同時に実行されるものとして付加されてもよく、及び／又はそのようなブロックの順序が変更されてもよい。例えば、リブ表面と一体の複数のリブを形成することで、ブロック１６１０−１６２０を同時に実施してもよい。ここで、リブ表面は、クラブヘッドのボディの１つ又は複数の部分の１つ又は複数の部分を備えている。方法１６００がさらに又は異なるブロックを備える例であってもよい。一例では、方法１６００が、ソールウェイト１５９０（図１５）に類似したウェイトを提供するブロックを備えていてもよい。ここで、そのようなウェイトは、ブロック１６２０の１つ又は複数の複数のリブの１つ又は複数の部分を覆っていてもよい。本願の開示範囲から逸脱せずに、方法１６００に他の変形例が実装されてもよい。
【００８１】
ゴルフの規則は時々変更されることがあり（例えば、ゴルフの標準団体及び／又は全米ゴルフ協会（ＵＳＧＡ）、英国ゴルフ協会（Ｒ＆Ａ）等の統治体によって、新しい規則が適用され、又は古い規則が撤廃又は改変されることがある）、本願に開示される装置、方法及び／又は製造品に関するゴルフ道具は、どのような時もゴルフの規則に適合してもよく、適合しなくてもよい。加えて、本願に開示される装置、方法及び／又は製造品に関するゴルフ道具は、広告、販売の申し出、及び／又はゴルフ道具に適合する又は適合しない販売であってもよい。本願に開示される装置、方法及び／又は製造品がこの点において限定されるものではない。
【００８２】
少なくとも上記例のいくつかは、フェアウェイウッド型ゴルフクラブヘッドに関して描写又は記述されているが、本願に開示される装置、方法、製造品は、ドライバー型ゴルフクラブ、アイアン型ゴルフクラブ、ウェッヂ型のゴルフクラブ、及び／又はパター型のゴルフクラブのような、他のタイプのゴルフクラブヘッドにも適用可能である。代替として、本願に開示される装置、方法、製造品は、ホッケースティック、テニスラケット、釣り竿、スキー板等の他のスポーツ道具に適用可能である。
【００８３】
以上、特定の実施形態が例示及び説明されたが、当業者にとって明らかであるように、本発明の精神及び範囲から逸脱することなく、特定の実施形態を様々に変更したものが含まれることが理解されるべきである。そのような変形や変更は本明細書に添付された特許請求の範囲に規定される本発明の範囲及び教示内に属する。
【図１】
2013031656.tif 000003
【図２】
2013031656.tif 000004
【図３】
2013031656.tif 000005
【図４】
2013031656.tif 000006
【図５】
2013031656.tif 000007
【図６】
2013031656.tif 000008
【図７】
2013031656.tif 000009
【図８】
2013031656.tif 000010
【図９】
2013031656.tif 000011
【図１０】
2013031656.tif 000012
【図１１】
2013031656.tif 000013
【図１２】
2013031656.tif 000014
【図１３】
2013031656.tif 000015
【図１４】
2013031656.tif 000016
【図１５】
2013031656.tif 000017
【図１６】
2013031656.tif 000018
【図１７】
2013031656.tif 000019
【外国語明細書】
2013031656000001.pdf
2013031656000002.pdf
2013031656000003.pdf
2013031656000004.pdf